(57)【要約】      （修正有）【課題】多くの絵の具類入チューブを希望する絵の具類入チューブを容易に選択しながら出し入れ出来るようにした絵の具類入チューブの収納箱を提供する。【解決手段】絵の具類入チューブの収納箱は、内部に封入された絵の具類の色彩を表面に表示して成る絵の具類入チューブを縦状に収納可能な構成の仕切板を内部に設けて複数の絵の具類入チューブの収納部を形成することを基本にし、必要に応じて仕切板を透明にしたりその高さを制限しており、各個の絵の具類入チューブの収納部の視認可能な位置に収納する絵の具類入チューブに封入された絵の具類の色彩と同一の色彩で表示する色感目印を添付させたり、絵の具類入チューブの収納部を雛壇状に配置することで、所望の絵の具類入チューブを絵の具類入チューブの収納部の上部から垂直方向に出し入れ可能に構成する。【選択図】図１
0003133443.tif 000002
【実用新案登録請求の範囲】
【請求項１】
内部に封入された絵の具類の色彩を表面に表示して成る絵の具類入チューブを縦状に収納可能な構成の仕切板を内部に設けて複数の絵の具類入チューブの収納部を形成し、所望の絵の具類入チューブを絵の具類入チューブの収納部の上部から出し入れ可能に構成することを特徴とする絵の具類入チューブの収納箱。
【請求項２】
仕切り版が透明であることを特徴とする請求項1に記載の絵の具類入チューブの収納箱。
【請求項３】
仕切り版の高さが絵の具類入チューブの表面に表示されている内部に封入された絵の具類の色彩の位置より低いことを特徴とする請求項1に記載の絵の具類入チューブの収納箱。
【請求項４】
絵の具類入チューブの収納部の視認可能な位置に収納する絵の具類入チューブに封入された絵の具類の色彩と同一の色彩で表示する色感目印を添付することを特徴とする請求項1に記載の絵の具類入チューブの収納箱。
【請求項５】
複数の絵の具類入チューブの収納部を雛壇状に配置して、所望の絵の具類入チューブの視認と出し入れを容易に構成することを特徴とする請求項１〜４に記載の絵の具類入チューブの収納箱。
【請求項６】
絵の具類入チューブの収納部が、収納箱の一部に形成されることを特徴とする請求項1〜５に記載の絵の具類入チューブの収納箱。
【考案の詳細な説明】
【技術分野】
【０００１】
本考案は、絵を描く際に用いる絵の具類の取り扱いに関し、具体的には絵の具類入チューブの収納箱に関する。
【背景技術】
【０００２】
油絵の具、アクリル絵の具、アキーラ絵の具及び水彩絵の具等の絵の具類を用いて絵を描く際には、当初において基本色程度の２０〜４０本程度の絵の具類で満足しているが、そのうちに多くの絵の具類を買い足してゆくことになる。絵の具類を買うために画材店に行くと、多くの絵の具類は水平に色分けされて並べてあるが、これを買って家に持ち帰った後は、普通は絵の具類の収納箱に乱雑に寝かせるか積み重ねながら乱雑に入れて置くものであり、結果的には２乃至３段に重ね合った混沌とした状態に入れて置くことも稀なことではない。
しかるに、このような状態の絵の具類の収納箱を用いて絵を描く時には、当然のことながら絵の具類を選ぶのに手間を掛けることになって、挙句の果てには希望の絵の具類が何処に行ってしまったのか判らなくなってしまうことも頻繁に発生しているものである。
又、絵の具類入チューブは、一般的にその内部に封入してある絵の具類の色彩を表示するために、内部の絵の具類と同一の色彩から成る見出しをチューブの外面に表示して所望の絵の具類を選択し易い様にしてあるが、数多くの絵の具類を頻繁に使用した後にあっては、これらの絵の具類入チューブからはみ出した絵の具類が指や衣服に付いたり、他の絵の具類のチューブに迄付着することから内部の色彩を表示している部分までも被覆してしまったりすることで、選択したい絵の具類入チューブを短時間で迅速には探し当てられない事態にも発展してしまうものである。
【０００３】
これらの現象は、普通の生活にあっては例えば些細な事項であっても絵を描く人にとっては、制限された時間感覚の中で発生する場合になると表現したい色彩感覚にも差し障りを与えることにもなって極めて重大な問題であり、何とか解決して欲しい懸案事項であった。
【考案の開示】
【考案が解決しようとする課題】
【０００４】
本考案は、絵を描く際に用いる絵の具類の取り扱いにおいて、多くの絵の具類を簡潔に整理、整頓することによって、例え、絵の具類入チューブの表面が封入されている絵の具類と異なる色彩である他の絵の具類によって部分的に汚染されている場合であっても、希望する絵の具類入チューブを容易に選択しながら出し入れ出来るようにした絵の具類入チューブの収納箱を提供している。
【課題を解決するための手段】
【０００５】
本考案による絵の具類入チューブの収納箱は、基本的に内部に封入された絵の具類の色彩を表面に表示して成る絵の具類入チューブを縦状に収納可能な構成の仕切板を内部に設けて複数の絵の具類入チューブの収納部を形成することで、所望の絵の具類入チューブを絵の具類入チューブの収納部の上部から出し入れ可能に構成している。
【０００６】
本考案による絵の具類入チューブの収納箱は、上記の基本的な絵の具類入チューブの収納箱における仕切り板を透明に形成することで、所望の絵の具類入チューブを仕切り板を透視しても容易に選択出来る形態に構成されている。
【０００７】
本考案による絵の具類入チューブの収納箱は、上記の基本的な絵の具類入チューブの収納箱における仕切り板の高さを絵の具類入チューブの表面に表示されている内部に封入された絵の具類の色彩表示部の位置より低く形成することで、所望の絵の具類入チューブをその表面に表示されている絵の具類の色彩を見ながら容易に選択出来る形態に構成されている。
【０００８】
本考案による絵の具類入チューブの収納箱は、上記の基本的な絵の具類入チューブの収納箱における絵の具類入チューブの収納部の視認可能な位置に収納する絵の具類入チューブに封入された絵の具類の色彩と同一の色彩で表示する色感目印を添付することで、所望の絵の具類入チューブを容易に視認できる色感目印を見ながら容易に選択出来る形態に構成されている。
【０００９】
本考案による絵の具類入チューブの収納箱は、上記の各絵の具類入チューブの収納箱において複数の絵の具類入チューブの収納部を雛壇状に配置することで、所望の絵の具類入チューブの視認と出し入れを容易に出来る形態に構成されている。
【００１０】
本考案による絵の具類入チューブの収納箱は、上記の各絵の具類入チューブの収納箱において絵の具類入チューブの収納部を収納箱の一部に形成することで、絵描きに必要な他の道具類と一体に収納出来る形態に構成されている。
【考案の効果】
【００１１】
本考案による絵の具類入チューブの収納箱は、絵の具類入チューブの表面が封入されている絵の具類と異なる他の絵の具類で部分的に汚染されていたとしても、従来から行われていたように複数の絵の具類入チューブを水平な形態や積み重ねた状態のままで乱雑に散乱させることなく、予め添付している色感目印を介して整理された状態に区分されている絵の具類入チューブの該当している収納部を容易に選択出来ると共に色感目印を確かめながら絵の具類入チューブを縦方向に簡単かつ正確に入れることが出来る。
又、絵を描く際に必要となる絵の具類が発生した場合には、随時に視認され易い色感目印を選択することで、該当する絵の具類の封入されている絵の具類入チューブが収められている絵の具類入チューブの収納部に容易に到達出来ると共に、当該絵の具類入チューブをその絵の具類入チューブの収納部から垂直方向に引き出すことで、容易にして確実に入手することが出来るものであるから、醸し出されている絵心に何らの支障を与えることなく絵を描き続けられる効果を奏している。
【００１２】
さらに、本考案による絵の具類入チューブの収納箱は、仕切り板を透明にしたりその高さを制限することに加えて、複数の絵の具類入チューブの収納部を雛壇状に配置することで上記の効果を更に向上できる効果も奏している。
【考案を実施するための最良の形態】
【００１３】
本考案による絵の具類入チューブの収納箱は、基本的に内部に封入された絵の具類の色彩を表面に表示して成る絵の具類入チューブを縦状に収納可能な構成の仕切板を内部に設けて複数の絵の具類入チューブの収納部を形成することで、所望の絵の具類入チューブを絵の具類入チューブの収納部の上部から出し入れ可能に構成している。
以下に、本考案による絵の具類入チューブの収納箱を複数の実施の形態に基づいて説明する。
【実施例１】
【００１４】
本実施例では、図１に示す絵の具類入チューブの収納箱を参照しながら説明する。
絵の具類入チューブの収納箱１は、長尺方向の外枠2、２とこれらを両端で接続している短尺方向の側枠３、３及び底面から塞ぐ底板から構成されている。外枠と側枠とは、その高さを絵の具類入チューブ４が縦方向に収納されても上方に突出しない寸法に構成されているので、図示していない蓋が用いられても内部の絵の具類入チューブ４は、何らの制約も受けることなく楽々な状態で絵の具類入チューブの収納箱１に容易に収納できる。
【００１５】
絵の具類入チューブの収納箱１は、その内部を複数の交差する仕切り板５、６を設けることによって絵の具類入チューブの収納部７を複数個形成しており、複数の絵の具類入チューブ４を縦方向に容易に収納できるように構成されている。
尚、図１においては長尺方向に配置された仕切り板５の上に長尺方向に沿って色感目印８を張り付けるための表示板９が取り付けられているが、本実施例ではこの表示板９と色感目印８とは設けられない構成になっているので、これらについての説明は以下に述べる他の実施例において説明する。
【００１６】
本実施例における絵の具類入チューブの収納箱１は、以上のように形成されているので、仕切り板５とこれと直交している仕切り板6によって区画されている絵の具類入チューブの収納部７に必要な絵の具類入チューブ４を垂直方向から縦状に容易に挿入できる。
そして、絵を描いている最中に或色彩の絵の具類が必要になった場合には、絵の具類入チューブ４を収めた時とは反対に、必要とする色彩の絵の具類入チューブ４が納まっている絵の具類入チューブの収納部７を選択して、そこに縦方向に挿入されている絵の具類入チューブ４を垂直に引き出すことで簡単に取り出せるものである。
【００１７】
本考案による絵の具類入チューブの収納箱は、上記の実施例で説明した絵の具類入チューブの収納箱１における仕切り板５、６を透明に形成することも効果的である。このような仕切り板によると、絵の具類入チューブが必要になった場合には、透明な仕切り板５、６を透してでも目的とする絵の具類入チューブ４を容易に見つけ出せるので、絵を描き続けるリズムを阻害する心配も無くなる効能も生ずるものである。
【００１８】
さらに、本考案による絵の具類入チューブの収納箱は、仕切り板の高さを絵の具類入チューブ４の表面に表示されている内部に封入された絵の具類の色彩表示部１０の位置より低く形成することも選択出来るものである。この場合には、絵の具類入チューブの収納部７に挿入されている絵の具類入チューブ４が仕切り板５、６を透しても見易くなることから、欲しくなった絵の具類入チューブをその表面に表示されている絵の具類の色彩を見ながら容易に選び出せるので、絵の具類の選択と取り出しに望ましい形態になるものである。
【実施例２】
【００１９】
本実施例については、図１に示す絵の具類入チューブの収納箱に従って上記実施例1と異なる部分を中心に説明する。
絵の具類入チューブの収納箱１は、上記実施例と同様に長尺方向の外枠2、２とこれらを両端で接続している短尺方向の側枠３、３及び底面から塞ぐ底板から構成されており、外枠と側枠とは、その高さを絵の具類入チューブが縦方向に収納されても上方に突出しない寸法に構成されているので、絵の具類入チューブ４は悠々と絵の具類入チューブの収納箱１に容易に収納できる。
【００２０】
本実施例での絵の具類入チューブの収納箱１も、その内部を複数の交差する仕切り板５、６を設けることによって絵の具類入チューブの収納部７を複数個形成しており、複数の絵の具類入チューブ４を縦方向に容易に収納できるように構成されている。
本実施例の絵の具類入チューブの収納箱１では、長尺方向に配置された仕切り板５の上には長尺方向に沿って色感目印８を張り付けるための表示板９が取り付けられている。この表示板９の取り付け位置は、仕切り板５の上に限定されるものでなく、仕切り板５と直交している仕切り板6の上であっても取り付け可能であり、色感目印８が視認可能な位置であれば任意の位置に表示板を設けられるものである。
色感目印８は、その位置に形成される絵の具類入チューブの収納部７に収納される絵の具類入チューブ４に封入された絵の具類の色彩と同一の色彩を以って表示されているので、絵の具類入チューブ４が部分的に他の異なる絵の具によって汚染されている場合であっても該当する絵の具類入チューブ４を絵の具類入チューブの収納部７に確実に収納できるように配慮されている。
【００２１】
絵の具類入チューブの収納箱１は、以上のように形成されているので、本実施例の絵の具類入チューブの収納箱を部分的に拡大して示すと図2のように構成されている。
図示のように、絵の具類入チューブ４は、内部に封入されている絵の具類の色彩と同一の色彩で形成されている色彩表示部１０をその表面に張り付けられているので、内部の絵の具類の色彩を容易に判別できることから、必要な絵の具類入チューブ４をその表面に表示されている色彩表示部１０に従って、表示板９に取り付けられている色感目印８群の中からこれと同一の色感目印８が添付されている位置に在る仕切り板５とこれと直交している仕切り板6によって区画されている絵の具類入チューブの収納部７に絵の具類入チューブ４を垂直方向から縦状に容易に挿入できる。
【００２２】
同様に、絵を描いている最中に或色彩の絵の具類が必要になった場合には、絵の具類入チューブ４を収めた時とは反対に、表示板９上の該当する色感目印８を探すことで必要とする色彩の絵の具類入チューブ４の納まっている絵の具類入チューブの収納部７を選択して、そこに縦方向に挿入されている絵の具類入チューブ４を垂直に引き出すことで簡単に取り出せるものである。
【実施例３】
【００２３】
本実施例は、絵の具類入チューブの収納箱における複数の絵の具類入チューブの収納部を雛壇状に配置することで、上記の効果を更に向上させる絵の具類入チューブの収納箱であるが、図３に示す絵の具類入チューブの収納箱に従って上記実施例1と異なる部分を中心に説明する。
絵の具類入チューブの収納箱１１は、高さ方向の寸法が異なる長尺方向の外枠１2、１３とこれらを両端で接続していて短尺方向の一部を傾斜状に切り欠かれた側枠１４、１４から構成されている。外枠１２と外枠１３とは、複数の絵の具類入チューブの収納部１５を雛壇状に傾斜させながら配置しているために、その高さ方向の寸法を異ならしているが、外枠１３の高さを絵の具類入チューブが縦方向に収納されても上方に突出しない幅に構成することを基本にすると共に、外枠１２の寸法も外枠１３の高さに追随させる高さを以って決められている。
又、絵の具類入チューブの収納箱１１における底面に在っては、内部の絵の具類入チューブ４が雛壇状に配置されるように絵の具類入チューブの収納部１５の底面も雛壇形状に合わせて傾斜させた形態に構成されているので、部分的に図示していない任意形状の蓋が閉じられる際にも、内部の絵の具類入チューブ４は何れの位置にあっても高さ方向に何らの制約も受けることなく楽々な状態で絵の具類入チューブの収納箱１１に容易に収納されることになる。
【００２４】
絵の具類入チューブの収納箱１１は、その内部を複数の交差する仕切り板１６、１７を図示のように設けることによって絵の具類入チューブの収納部１５を複数個形成しているので、複数の絵の具類入チューブ４を雛壇状に配置しながら縦方向に収納できるように構成されている。長手方向の仕切り板１６は、夫々に雛壇状の位置を保ちながら側枠１４の切り欠かれた傾斜形状に合わせた高さで構成されており、短尺方向の仕切り板１７は、長手方向の夫々の仕切り板１６の間に在って仕切り板１６の高さに係合した高さの下に形成されることによって複数の絵の具類入チューブの収納部１５を構成している。
【００２５】
長尺方向に配置されている短尺方向の仕切り板１７の上には、実施例２と同様に長尺方向に色感目印８を張り付けるための表示板９が取り付けられているが、この表示板９の取り付け位置については、これに限定されるものでなく色感目印８が視認可能な位置であれば任意の位置に表示板９を設けられることも実施例２と同様である。
そして、色感目印８がその位置に形成される絵の具類入チューブの収納部１５に収納される絵の具類入チューブ４に封入された絵の具類の色彩と同一の色彩を以って表示されることも実施例２と同様である。
【００２６】
本実施例では、上部右隅部の絵の具類入チューブの収納部を特別に大きくしているが、此処に収納される絵の具類入チューブ１８は、高さ９.５ｃｍ程度、直径２．３ｃｍ程度の一般的なチューブと異なって、例えばチューブの高さ１２〜１３ｃｍで直径２．５ｃｍの白色絵の具類入チューブに相当する大型の絵の具類入チューブである。
【００２７】
又、本実施例での絵の具類入チューブの収納箱では、複数の絵の具類入チューブの収納部を雛壇状に配置しているが、絵の具類入チューブの収納部を図示のように絵の具類入チューブの収納箱の前面方向に傾斜するように構成するか、これとは直交する形態で、絵の具類入チューブの収納箱の横方向に傾斜するように構成させるかは、諸般の状況に応じて任意に設定できるものである。
【００２８】
更に、絵の具類入チューブの収納部の大きさやこれらを表示する色感目印の形状や配置等については、大きさを状況に合わせて適宜に選択したり、色感目印の色の配置を赤、橙、黄、緑、青、蘭、紫・・・・の順に並べるばかりでなく、使い勝手の良い配置や傾斜方向に自由に取捨選択することも可能である。
【産業上の利用可能性】
【００２９】
本考案は、絵を描く際に用いる絵の具類の取り扱いにおいて、多くの絵の具類入チューブを簡潔に整理、整頓すると同時に縦状に収納することによって、絵の具類入チューブの表面が封入されている絵の具類と異なる色彩である他の絵の具類で部分的に汚染されている場合であっても、希望する絵の具類入チューブを容易に選択しながら簡単に出し入れ出来る絵の具類入チューブの収納箱を提供しているので、絵心に何らの支障を与えることなく優雅な状態で絵を描き続けることができる。
【図面の簡単な説明】
【００３０】
【図１】本考案による絵の具類入チューブの収納箱の斜視図
【図２】絵の具類入チューブの収納箱の部分拡大図
【図３】本考案による絵の具類入チューブの収納箱の斜視図
【符号の説明】
【００３１】
１、１１…絵の具類入チューブの収納箱、２…外枠、３…側枠、４…絵の具類入チューブ、５、６…仕切り板、７…絵の具類入チューブの収納部、８…色感目印、９…点表示板、１０…色彩表示部、１２、１３…外枠、１４…側枠、１５…絵の具類入チューブの収納部、１６、１７…仕切り板、１８…白色用絵の具類入チューブ
【図１】
0003133443.tif 000003
【図２】
0003133443.tif 000004
【図３】
0003133443.tif 000005